(57)【特許請求の範囲】
【請求項１】
吸込口と吹出口とを有する本体と、
前記本体内に設けた加湿フィルターと送風手段とを備え、
前記送風手段によって吸い込まれた空気は、前記吸込口、前記加湿フィルター、前記送風手段を順次介して前記吹出口より送風され、
前記吹出口と前記送風手段との間には着脱自在な板形状の水滴捕集手段を設け、
前記水滴捕集手段は、前記送風手段より吹き出される空気と交差するように設けられ、
前記水滴捕集手段は、前記吹出口に着脱自在に設けられ、
前記吹出口は、前記本体における天面に設けられ、上下方向に開口した格子部を有し、
前記水滴捕集手段は、前記格子部の上端部に引っ掛けられ、
前記水滴捕集手段と同一面上に、前記吹出口の前記格子部を配置したことを特徴とする加湿装置。
【請求項２】
前記送風手段は、スクロール形状のファンケーシングと、前記ファンケーシング部に設けた送風モータ部と、前記送風モータから水平方向に延びた回転軸に固定された送風ファンとを備え、前記ファンケーシングは、上面に吐出口を備え、前記水滴捕集手段は、前記送風モータの前記回転軸の方向に長い板形状で有ると共に上下方向に伸びた構成であることを特徴とする請求項１に記載の加湿装置。
【請求項３】
前記水滴捕集手段は、前記吐出口内に少なくとも一部が入り込む構成であることを特徴とする請求項２に記載の加湿装置。
【発明の詳細な説明】
【技術分野】
【０００１】
本発明は、水槽に一部を浸した加湿フィルターを回転するとともに、加湿フィルターに通風して加湿する気化式の加湿装置に関するものである。
【背景技術】
【０００２】
従来、この種の加湿装置の一例として、加湿フィルターを円筒形状とし回転させることで、加湿フィルターの全部位が溜水内に浸水することを特徴とする加湿装置が知られている。（例えば、特許文献１、２参照）。
【０００３】
この加湿装置は、吸込口と吹出口を連通して形成される送風流路に送風空気を流通させる送風手段を設けた本体と、この本体に設けた給水タンクから給水される水槽と、水槽の溜水に常に一部を浸した状態に設けられた円筒形状の加湿フィルターとで構成されている。加湿フィルターは、加湿フィルター保持具に固定された状態で送風流路に保持され、駆動モーターによって加湿フィルター保持具を回転させることによって、加湿フィルターが水平方向を軸として回転するように構成されている。このような構成により、加湿フィルターが、駆動モーターによって回転することで、加湿フィルターの全表面が溜水を通過することで水分を帯びた状態となる。送風手段によって流通される送風空気が、加湿フィルターを通過する際に、加湿フィルターに付着した水分を気化することで、送風空気が高湿状態となり吹出口より室内に放出されるものである。加湿フィルター保持具は、加湿フィルターが円筒形状を保たせる複数の円盤と、円盤を保持し保持する円盤保持具によって構成されており、円盤保持具は加湿フィルターに内接しているという構成となっている。
【先行技術文献】
【特許文献】
【０００４】
【特許文献１】特開２００６−２００７６２号公報
【特許文献２】特開２０１０−２８１５１８号公報
【発明の概要】
【発明が解決しようとする課題】
【０００５】
このような従来の加湿装置においては、加湿フィルターの全部位に付着した水分を確実に気化させることにより、より高湿度の空気を室内に供給できるものである。ここで、喫煙所等に設置された場合に、本体の吹出口から黒い水滴のようなものが吹き出す場合がある。詳しいことは分かっていないが、タバコのヤニが、本体内の送風路に付着し、この送風路を加湿された空気が通過すると、送風路内に付着したヤニが黒い水滴に変化する。この黒い水滴が、加湿手段の下流側に設けられた送風手段によって、本体の吹出口から室内へ送風される場合があると考えられる。すなわち、本体ケースの吸込口から吹出口の送風路が粉塵で汚れ、この粉塵が黒い水滴となり吹出口の風向板に付着してしまうという課題を有していた。
【０００６】
そこで、本発明は上記課題を解決するものであり、黒い水滴が、吹出口から室内へ送風されることを低減できる加湿装置を提供することを目的としている。
【課題を解決するための手段】
【０００７】
そして、この目的を達成するために、本発明は、吸込口と吹出口とを有する本体と、前記本体内に設けた加湿フィルターと送風手段とを備え、前記送風手段によって吸い込まれた空気は、前記吸込口、前記加湿フィルター、前記送風手段を順次介して前記吹出口より送風され、前記吹出口と前記送風手段との間には着脱自在な板形状の水滴捕集手段を設け、前記水滴捕集手段は、前記送風手段より吹き出される空気と交差するように設けられ、前記水滴捕集手段は、前記吹出口に着脱自在に設けられ、前記吹出口は、前記本体における天面に設けられ、上下方向に開口した格子部を有し、前記水滴捕集手段は、前記格子部の上端部に引っ掛けられ、前記水滴捕集手段と同一面上に、前記吹出口の前記格子部を配置したものであり、これにより所期の目的を達成するものである。
【発明の効果】
【０００８】
本発明によれば、吸込口と吹出口とを有する本体と、前記本体内に設けた加湿フィルターと送風手段とを備え、前記送風手段によって吸い込まれた空気は、前記吸込口、前記加湿フィルター、前記送風手段を順次介して前記吹出口より送風され、前記吹出口と前記送風手段との間には着脱自在な板形状の水滴捕集手段を設け、前記水滴捕集手段は、前記送風手段より吹き出される空気と交差するように設けられ、前記水滴捕集手段は、前記吹出口に着脱自在に設けられ、前記吹出口は、前記本体における天面に設けられ、上下方向に開口した格子部を有し、前記水滴捕集手段は、前記格子部の上端部に引っ掛けられ、前記水滴捕集手段と同一面上に、前記吹出口の前記格子部を配置したことを特徴とするものである。
【０００９】
すなわち、加湿手段の下流側において、吹出口と送風手段との間には着脱自在な板形状の水滴捕集手段を備えている。この水滴捕集手段は、送風手段より吹き出される空気と交差するように設けられているので、この水滴捕集手段によって、黒い水滴を捕集し、黒い水滴が吹出口から本体外に吹出すことを抑制することができるという効果を得ることができる。
【図面の簡単な説明】
【００１０】
【図１】本発明の実施の形態１の加湿装置を示す概略図
【図２】同加湿装置を示す概略側面断面図
【図３】同加湿装置を示す概略正面断面図
【図４】同加湿装置の水滴捕集手段を示す断面図
【図５】同加湿装置の水滴捕集手段を示す概略図
【発明を実施するための形態】
【００１１】
以下、本発明の実施の形態について図面を参照しながら説明する。
【００１２】
（実施の形態１）
図１〜図３に示すように、本体１０は、吸込口１と吹出口２を備えている。吸込口１と吹出口２を連通して形成された送風風路３に、送風空気を流通させる送風手段４を設けている。
【００１３】
本体１０内には、加湿手段を設け、加湿手段は、給水タンク１２と、給水タンク１２から給水される水槽５と、水槽５の溜水に下部を浸した状態で設けられた加湿フィルター６とを備えている。
【００１４】
加湿フィルター６は、加湿フィルター保持具７に固定された状態で送風風路３に保持され、回転モーター８によって加湿フィルター保持具７を回転させることによって、加湿フィルター６が水平方向を軸として回転するように構成されている。
【００１５】
送風手段４は、吸入口４ｆと吐出口４ｇを有したスクロール形状のファンケーシング４ａと、ファンケーシング４ａに収納される送風ファン４ｂと、この送風ファン４ｂに連結される送風モータ４ｃを具備している。送風ファン４ｂは、送風モータ４ｃから水平方向に延びた回転軸４ｄに固定され、送風モータ４ｃの駆動によって送風ファン４ｂを回転させ、吸入口４ｆより空気を吸込んで吐出口４ｇより空気を排出するものである。
【００１６】
加湿フィルター６は、水平軸を備えた加湿フィルター保持具７に装着されることで円筒形状を維持するとともに、水槽５の溜水に常に下部を浸しながら、加湿フィルター保持具７の水平軸を中心に回転可能に支持されている。なお、加湿フィルター６として、繊維によって格子状に形成された加湿フィルター外周面と内周面を複数の繊維によって連結することで形成されたものがあり、加湿フィルター６に対して直行方向に送風空気が通過した場合、発泡ウレタンにて形成された加湿フィルター６より圧力損失が低く、結果としてより多くの加湿空気を室内に供給することが可能となる。
【００１７】
上記構成により、加湿フィルター６が回転モーター８によって回転することで、加湿フィルター６の全表面が溜水を通過することで水分を帯びた状態となる。そして、送風手段４によって吸込口１より送風風路３内へ流通される送風空気が加湿フィルター６を通過する際に、加湿フィルター６に付着した水分を気化することで送風空気が高湿状態となり、吹出口２より室内に供給されるものである。
【００１８】
本実施形態における特徴は、水滴捕集手段９である。吹出口２と送風手段４との間には、着脱自在な板形状の水滴捕集手段９が設けられている。水滴捕集手段９は、送風手段４より吹き出される空気と交差するように設けられている。
【００１９】
すなわち、加湿手段の下流側において、吹出口２と送風手段４との間には着脱自在な板形状の水滴捕集手段９を備え、この水滴捕集手段９は、送風手段４より吹き出される空気と交差するように設けられているので、この水滴捕集手段９によって、黒い水滴を捕集し、黒い水滴が吹出口２から本体外に吹出すことを抑制することができるという効果を得ることができる。
【００２０】
図４、５に示すように、水滴捕集手段９の板９ａは、送風モータ４ｃから水平方向に延びた回転軸４ｄの方向に長い板形状を有していると共に上下方向に伸びている。一般に、スクロール形状のファンケーシング４ａに、シロッコファンである送風ファン４ｂを用いると、送風ファン４ｂの外周から、ファンケーシング４ａの舌部１３へ接するように延びる角度で、吐出口４ｇより空気が主に送風される。すなわち、ファンケーシング４ａから吹き出る空気は、本体１０における斜め前方へ吹き出すので、水滴捕集手段９の板９ａと交差する。この構成によると、送風ファン４ｂから斜方向に吹出す空気が、その空気に交差する位置に水滴捕集手段９の板９ａが配置されるため、その板９ａは送風ファン４ｂによって吹出す黒い水滴を保持しやすくなり、吹出口２から吹き出す黒い水滴を抑制することができる。
【００２１】
また、黒い水滴を保持しやすくするため、水滴捕集手段９である板９ａは、吹出口２から下方向に長くし、ファンケーシング４ａの吐出口４ｇの内側まで配置されている。水滴捕集手段９の板９ａは、長い板形状の一部がファンケーシング４ａに入り込む構成となっている。これにより、水滴捕集手段９である板９ａの面積を小さくでき、黒い水滴を保持しやすくすることが可能となる。これは、送風手段４で得られる送風空気および黒い水滴が、送風ファン４ｂから斜方向に吹きだす際、斜方向へ放射上に拡散する。拡散する黒い水滴は、送風ファン４ｂから放たれる送風空気および黒い水滴の拡散角度が送風ファン４ｂから離れるほど、大きくなる。したがって、水滴捕集手段９の板９ａの面積を大きくとらなければ黒い水滴が保持できなくなるため、送風ファン４ｂに、より近い距離に水滴捕集手段９の板９ａを配置することで水滴捕集手段９の板９ａの面積を小さくでき、黒い水滴を保持しやすくすることが可能となるため、汚れ加湿空気を抑制することができる。
【００２２】
また、図５に示すように、水滴捕集手段９は、吹出口２に着脱自在に設けられている。具体的には、吹出口２は、本体における天面に設けられ、上下方向に開口した格子部１１を着脱自在に有している。水滴捕集手段９は、格子部１１の上端部に引っ掛ける構成を有することにより、水滴捕集手段９の着脱が可能となり、その結果、お手入れしやすくなる効果を奏する。水滴捕集手段９の板９ａを吹出口２の格子部１１に着脱できるよう爪９ｂを配置することで、この爪９ｂを格子部に引っ掛け、所定の位置に配置することが可能となる。
【００２３】
また、水滴捕集手段９の板９ａは、長い板形状は吹出口２の格子部１１の同一面上に、送風モータ４ｃから水平方向に延びた回転軸と同方向、かつ同一線上に配置することで、送風抵抗の増加を抑制することができる。
【産業上の利用可能性】
【００２４】
本発明にかかる加湿装置は、水滴による汚れを抑制することで良質な加湿空気を室内に供給することが可能となるので、一般家庭の室内だけでなく、業務用加湿装置、空気調和装置などに使用される加湿装置等として有用である。
【符号の説明】
【００２５】
１    吸込口
２    吹出口
３    送風風路
４    送風手段
４ａ  ファンケーシング
４ｂ  送風ファン
４ｃ  送風モータ
４ｄ  回転軸
４ｆ  吸入口
４ｇ  吐出口
５    水槽
６    加湿フィルター
７    加湿フィルター保持具
８    回転モーター
９    水滴捕集手段
９ａ  板
９ｂ  爪
１０    本体
１１    格子部
１２    給水タンク
１３    舌部
【図１】
0006454872.tif 000002
【図２】
0006454872.tif 000003
【図３】
0006454872.tif 000004
【図４】
0006454872.tif 000005
【図５】
0006454872.tif 000006